(57)【要約】【課題】主走査倍率誤差のない良好な画像を得る。【解決手段】プリントが開始されると、まずＬＤ光量を６００ｄｐｉプリント時の設定にする（Ｓ２０１）。その状態で２つの同期検知間を測定し（Ｓ２０２）、画素クロックの補正を行い、主走査倍率調整を終了する（Ｓ２０３）。その後、各書き込み画素密度に対応したＬＤ光量に設定し直し（Ｓ２０４，２０５，２０６）、画データを出力してプリント動作を行う（Ｓ２０７）。このように処理することにより書き込み条件による２点同期検知間測定結果に差が生じることがなく、適正な主走査倍率でプリントすることができる。【選択図】図８
2006346863.tif 000002
【特許請求の範囲】
【請求項１】
主走査ラインの基準となる同期検知信号を生成する先端同期検知手段と、
１ラインの後端の位置を検出する後端同期検知手段と、
を有し、複数の光源の各々から出射され、画像信号によって変調された光ビームの各々を
スキャナ光学系を介して感光体上に照射して感光体上に画像を形成し、先端同期検知信号
と後端同期検知信号間を測定し、測定結果に基づいて主走査倍率調整を行い、書き込み条
件に応じてレーザ光量を変更する画像形成装置において、
前記先端同期検知信号と後端同期検知信号間を測定して主走査倍率補正を行う時は、レ
ーザ光量を一定にして前記主走査倍率補正を行うことを特徴とする画像形成装置。
【請求項２】
前記書き込み条件が、書き込み印字密度及び書き込み印字速度の少なくとも一方を含み
、前記書き込み条件とは無関係に前記レーザ光量は一定であることを特徴とする請求項１
記載の画像形成装置。
【請求項３】
主走査ラインの基準となる同期検知信号を生成する先端同期検知手段と、
１ラインの後端の位置を検出する後端同期検知手段と、
を有し、複数の光源の各々から出射され、画像信号によって変調された光ビームの各々を
スキャナ光学系を介して感光体上に照射して感光体上に画像を形成し、先端同期検知信号
と後端同期検知信号間を測定し、測定結果に基づいて主走査倍率調整を行い、書き込み条
件に応じてレーザ光量を変更する画像形成装置において、
同期検知期間ではレーザ光量を一定にして前記光学系のシェーディング特性に応じて主
走査位置のレーザ光量を段階的に変更することを特徴とする画像形成装置。
【請求項４】
前記書き込み条件が、書き込み印字密度及び書き込み印字速度の少なくとも一方を含み
、異なる書き込み条件であっても前記同期検知期間においてはレーザ光量は一定であるこ
とを特徴とする請求項３記載の画像形成装置。
【請求項５】
前記同期検知期間は先端同期検知期間と後端同期検知期間であることを特徴とする請求
項３又は４記載の画像形成装置。
【請求項６】
後端同期検知手段の主走査位置が画データ期間に隣接している場合は、主走査倍率調整
を行う時のみ後端同期検知期間のレーザ光量を書き込み条件によらず一定にすることを特
徴とする請求項１ないし５のいずれか１項に記載の画像形成装置。
【発明の詳細な説明】
【技術分野】
【０００１】
本発明は、入力される画像信号に応じて光書き込みを画像を形成する複写機、プリンタ
、ＦＡＸ、印刷機（全てカラーも含む）等の画像形成装置に係り、特に、画像形成装置に
おける画像倍率制御に関する。
【背景技術】
【０００２】
この種の技術として例えば特許文献１−３に開示された発明が公知である。このうち特許文献１には、同期検知信号の光強度の精度を改善し、画像品質の劣化を防ぐことができる複数ビーム書き込み装置を提供する目的で、複数の発光源（複数レーザ光源）と、各発光源からの複数の書き込み光を同時に偏光走査する回転偏光器（回転走査手段）と、複数の書き込み光を走査する走査光学系を構成する光学レンズと、感光体面上への書き込み開始位置を規定する同期信号を生成する光センサ及び同期検知ミラーを有する同期検知信号生成手段とを備えた複数ビーム書き込み装置において、前記光センサに光ビームを照射して同期信号を生成する際に、複数ビームを点灯するようにした発明が開示されている。
【０００３】
また、特許文献２には、記録密度を変更しても同期検知センサの設置精度バラツキに伴う感光体上の複数のビームの露光開始位置のバラツキを補正し、また、複数のビームの光量変化に伴う感光体上の露光開始位置のバラツキを補正する目的で、記録密度に応じて感光体上の副走査方向のビームの間隔を変更する場合に、同期検知センサがビームの各々を検知した後、ビームの変調を開始するまでの時間をビーム毎に変更し、あるいは、光量検知センサにより検知されたビームの各々の光量に応じて、同期検知センサがビームの各々を検知した後ビームの変調を開始するまでの時間をビーム毎に変更する発明が開示されている。
【０００４】
更に、特許文献３には、マルチビ−ム露光の、主走査方向の書込み開始位置のずれ、あるいは、出力画像の主走査方向のゆらぎを防止することを目的として、複数の発光素子、発光素子を発光付勢するドライバ、複数ビームを感光体上で主走査方向および副走査方向に位置差をもって主走査するスキャナ、露光主走査幅の外のビーム光を検知するセンサ、及び検知信号に従って主走査の書き込み開始位置を規定する各同期信号を生成する発生器を備えるマルチビームプリンタにおいて、センサが検知用の各ビーム光を発生するための各点灯信号を発生する手段、各点灯信号を各ドライバに与えるゲート、および、各点灯信号の間、各ドライバに同期信号幅を同一とするための光量指示データを与えるマイクロコンピュータを備えた発明が開示されている。
【特許文献１】特開２００３−０２５６２６号公報
【特許文献２】特開２００１−０１８４４４号公報
【特許文献３】特開平１１−２８７９６４号公報
【発明の開示】
【発明が解決しようとする課題】
【０００５】
従来のマルチビームの画像形成装置としては、例えば前述の特許文献１−３に開示されているものが知られているが、これらのカラー画像形成装置においては、書き込み条件の変更によってレーザの光量が変化してしまうと、同期検知位置（先端、後端）でのレーザの光量も変化してしまう。その結果、先端同期検知信号と後端同期検知信号の立ち下がり位置が変化してしまうので、２点同期間の距離を測定して主走査倍率補正を行う場合に、書き込み条件の違いで主走査倍率に差が出ることになる。この差が色ずれの原因となり、画像品質の劣化として表れてくる。また、後端同期検知センサの主走査位置が画データ期間に隣接している場合に書き込み条件によっては、画像左端の濃度が変化してしまう場合もある。
【０００６】
本発明は、このような従来技術の実情に鑑みてなされたもので、その目的は、主走査倍
率誤差のない良好な画像を得ることが可能で、カラー画像の形成においては色ずれのない
良好な画像を得ることができるようにすることにある。
【課題を解決するための手段】
【０００７】
前記目的を達成するため、第１の手段は、主走査ラインの基準となる同期検知信号を生
成する先端同期検知手段と、１ラインの後端の位置を検出する後端同期検知手段とを有し
、複数の光源の各々から出射され、画像信号によって変調された光ビームの各々をスキャ
ナ光学系を介して感光体上に照射して感光体上に画像を形成し、先端同期検知信号と後端
同期検知信号間を測定し、測定結果に基づいて主走査倍率調整を行い、書き込み条件に応
じてレーザ光量を変更する画像形成装置において、前記先端同期検知信号と後端同期検知
信号間を測定して主走査倍率補正を行う時は、レーザ光量を一定にして前記主走査倍率補
正を行うことを特徴とする。
【０００８】
第２の手段は、第１の手段において、前記書き込み条件が、書き込み印字密度及び書き
込み印字速度の少なくとも一方を含み、前記書き込み条件とは無関係に前記レーザ光量は
一定であることを特徴とする。
【０００９】
第３の手段は、主走査ラインの基準となる同期検知信号を生成する先端同期検知手段と
、１ラインの後端の位置を検出する後端同期検知手段とを有し、複数の光源の各々から出
射され、画像信号によって変調された光ビームの各々をスキャナ光学系を介して感光体上
に照射して感光体上に画像を形成し、先端同期検知信号と後端同期検知信号間を測定し、
測定結果に基づいて主走査倍率調整を行い、書き込み条件に応じてレーザ光量を変更する
画像形成装置において、同期検知期間ではレーザ光量を一定にして前記光学系のシェーデ
ィング特性に応じて主走査位置のレーザ光量を段階的に変更することを特徴とする。
【００１０】
第４の手段は、第３の手段において、前記書き込み条件が、書き込み印字密度及び書き
込み印字速度の少なくとも一方を含み、異なる書き込み条件であっても前記同期検知期間
においてはレーザ光量は一定であることを特徴とする。
【００１１】
第５の手段は、第３又は第４の手段において、前記同期検知期間は先端同期検知期間と
後端同期検知期間であることを特徴とする。
【００１２】
第６の手段は、第１ないし第５のいずれかの手段において、後端同期検知手段の主走査
位置が画データ期間に隣接している場合は、主走査倍率調整を行う時のみ後端同期検知期
間のレーザ光量を書き込み条件によらず一定にすることを特徴とする。
【発明の効果】
【００１３】
本発明によれば、先端同期検知信号と後端同期検知信号間を測定する主走査倍率補正を
行う時は、書き込み条件によらず、レーザ光量を一定にして行うので、２点同期間の同期
信号の検出時のタイミングのずれが解消され、これにより走査倍率誤差のない良好な画像
を得ることが可能となり、カラー画像の形成においては色ずれのない良好な画像を得るこ
とができる。
【発明を実施するための最良の形態】
【００１４】
以下、本発明の実施形態について図面を参照して説明する。
【００１５】
図１において、本実施形態に係るカラー画像形成装置は、各々異なる色（イエロー：Ｙ
、マゼンタ：Ｍ、シアン：Ｃ、ブラック：Ｋ）の画像を形成する画像形成部１００Ｙ、１
００Ｍ、１００Ｃ、１００Ｋが、転写紙１を搬送する搬送ベルト２に沿って搬送方向上流
側から下流側に並列に前記順で配置されている。搬送ベルト２は、駆動側の搬送ローラ３と従動側の搬送ローラ４との間に張設されており、駆動側の搬送ローラ３の回転により矢印方向に回転駆動される。搬送ベルト２の下部には、転写紙１が収納された給紙トレイ５が備えられている。収納された転写紙１のうち最上位置にある転写紙は、画像形成時には給紙され、静電吸着によって搬送ベルト２上に吸着される。吸着された転写紙１は、第１の画像形成部（イエロー）１００Ｙに搬送され、ここでイエローの画像形成が行われる。
【００１６】
第１の画像形成部（イエロー）は、感光体ドラム６Ｙと感光体ドラム６Ｙの周囲に配置
された帯電器７Ｙ、露光器８、現像器９Ｙ、感光体クリーナ１０Ｙから構成されている。
【００１７】
感光体ドラム６Ｙの表面は、帯電器７Ｙで一様に帯電された後、露光器８によりイエロー
の画像に対応したレーザ光１１Ｙで露光され、静電潜像が形成される。感光ドラム６Ｙ上
に形成された静電潜像は現像器９Ｙで現像され、感光体ドラム６Ｙ上にトナー像が形成さ
れる。このトナー像は感光体ドラム６Ｙと搬送ベルト２上の転写紙１と接する位置（転写
位置）で転写器１２Ｙによって転写され、転写紙１上に単色（イエロー）の画像を形成す
る。転写が終わった感光体ドラム６Ｙは、ドラム表面に残った不要なトナーを感光体クリ
ーナ１０Ｙによってクリーニングされ、次の画像形成に備えることとなる。
【００１８】
このようにして第１の画像形成部（イエロー）１００Ｙで単色（イエロー）を転写され
た転写紙１は、搬送ベルト２によって第２の画像形成部（マゼンタ）１００Ｍに搬送され
る。ここでも、同様に感光体ドラム６Ｍ上に形成されたトナー像（マゼンタ）は、転写紙
１上に重ねて転写される。転写紙１は、さらに第３の画像形成部（シアン）１００Ｃ、第
４の画像形成部（ブラック）１００Ｋに搬送され、同様に形成されたＭ、Ｃ、Ｋのトナー
像が順に転写されてカラー画像を形成してゆく。第４の画像形成部１００Ｋを通過してカ
ラー画像が形成された転写紙１は、搬送ベルト２から剥離され、定着器１３にて定着され
た後、排紙される。なお、第２ないし第４の画像形成部１００Ｍ、１００Ｃ、１００Ｋの各作像プロセス要素は、第１の画像形成部１００Ｙと色を示す添字を変えて示し、重複する各部の説明は省略する。以下、同様。
【００１９】
図２は前記露光器８を構成する光学ユニット（光書き込みユニット）を図１の上方から
見た概略図である。
【００２０】
同図において、ＬＤユニットＢＫ１６およびＬＤユニットＹ１７からの光ビームはシリ
ンダレンズＣＹＬ＿ＢＫ１８、ＣＹＬ＿Ｙ１９を通り、反射ミラーＢＫ２０および反射ミ
ラーＹ２１によってポリゴンミラー２２の下部側の面に入射し、ポリゴンミラー２２が回
転することにより光ビームを偏向し、ｆθレンズＢＫＣ２３およびｆθレンズＹＭ２４を
通り、第１ミラーＢＫ２５および第１ミラーＹ２６によって折り返される。
【００２１】
一方、ＬＤユニットＣ２７およびＬＤユニットＭ２８からの光ビームは、ＣＹＬ＿Ｃ２
９およびＣＹＬ＿Ｍ３０を通り、ポリゴンミラー２２上部側の面に入射し、ポリゴンミラ
ー２２が回転することにより光ビームを偏向し、ｆθレンズＢＫＣ２３およびｆθレンズ
ＹＭ２４を通り、第１ミラーＣ３１および第１ミラーＭ３２によって折り返される。
【００２２】
主走査方向の書き出し位置より上流側にはシリンダミラーＣＹＭ＿ＢＫＣ３３およびＣ
ＹＭ＿ＹＭ３４さらにはセンサＢＫＣ３５およびセンサＹＭ３６が設けられ、ｆθレンズ
ＢＫＣ２３およびｆθレンズＹＭ２４を通った光ビームがＣＹＭ＿ＢＫＣ３３およびＣＹ
Ｍ＿ＹＭ３４によって反射集光されて、センサＢＫＣ３５およびセンサＹＭ３６に入射す
る構成となっている。これらのセンサＢＫＣ３５、ＹＭ３６は、主走査方向の同期を取るための同期検知センサである。また、主走査方向の画像領域より下流側に、前記上流側と同様にシリンダミラーＣＹＭ＿ＢＫＣ３７およびＣＹＭ＿ＹＭ３８さらにはセンサＢＫＣ３９およびセンサＹＭ４０が備えられ、ｆθレンズＢＫＣ２３およびｆθレンズＹＭ２４を通った光ビームがＣＹＭ＿ＢＫＣ３７およびＣＹＭ＿ＹＭ３８によって反射集光されて、センサＢＫＣ３９およびセンサＹＭ４０に入射するような構成となっている。したがって、この実施形態では、主走査方向上流側（先端側）の同期検知センサがセンサＢＫＣ３５、ＹＭ３６であり、下流側（後端側）の同期検知センサがセンサＢＫＣ３９およびセンサＹＭ４０である。
【００２３】
また、ＬＤユニットＢＫ１６およびＬＤユニットＣ２７からの光ビームでは、書き出し
側では共通のＣＹＭ＿ＢＫＣ３３ならびにセンサＢＫＣ３５、終了側では共通のＣＹＭ＿
ＢＫＣ３７ならびにセンサＢＫＣ３９を使用している。ＬＤユニットＹ１７およびＬＤユ
ニットＭ２８についても同様である。同じセンサに２色の光ビームが入射することとなる
ので、各色の光ビームのポリゴンミラー２２の入射角を異なるようにすることによって、
それぞれの光ビームが各センサに入射するタイミングを変え、時系列的にパルス列として
出力されるようになっている。図からも分かるように、ＢＫとＣおよびＹとＭは逆方向に
走査される。
【００２４】
図３は本実施形態におけるの画素クロック生成部の構成を示すブロック図である。画素
クロックは画像データの書き込みに使用されるクロックである。同図から分かるように各
色毎にＰＬＬ部５１を有し、ＰＬＬ部５１では１／Ｍ分周器５２で基準クロック（REFCLK
）をＭ分周した信号と、１／Ｎ分周器５４で各色画素クロック(*_WCLK)（以下、「*」は
各色Ｋ，Ｍ，Ｃ，Ｙを示す）。をＮ分周した信号を位相比較器＋ＬＰＦ＋ＶＣＯ５３に入
力し、各色高周波クロック(*_PLLCLK)を生成する。そして、同期検知センサからの各色先
端同期検知信号(*_DETP_N)を基準として、１／Ｋ分周器５５で高周波クロックをＫ分周し
て画素クロック(*_WCLK)を生成し、内部同期信号生成部５６で画素クロックに同期した内
部同期信号(*_PSYNC_N)を生成する。各色の画像形成部はこの画素クロック、内部同期信
号で動作することになる。
【００２５】
画素クロック周波数は
ｆｗｃｌｋ＝ＰＬＬclk／Ｋ
＝（ｆｒｅｆｃｌｋ／Ｍ×Ｎ）／Ｋ  ・・・（１）
となる。
【００２６】
主走査の倍率補正を行う場合は、前記２つ（前、後）の同期検知センサ３５，３９、３
６，４０の通過時間を高周波クロックによりカウントすることによって計測し、それらの
カウント値と予め設定された基準カウント値とが一致するように、ＭとＮの値を調整する
ことにより、画素クロック周波数の変更を行う。
【００２７】
図４は本実施形態に係る画像形成装置の同期検知信号とＬＤ光量の関係を示すタイミン
グチャート、図５は従来のプリント時のフローチャートである。図５のフローチャートで
は、書き込み画素密度が６００ｄｐｉか１２００ｄｐｉかでＬＤ１６，１７，２７，２８の光量をそれぞれ設定し（ステップＳ１０１，１０２，１０３）、先端側の同期検知センサ３５，３６と後端側の同期検知センサ３９，４０により２点同期間測定を実施する（ステップＳ１０４）。次いで、主走査倍率補正を実施する（ステップＳ１０５）。主走査倍率補正は、２点同期間測定結果と基準値を比較し、前記（１）式にＭ，Ｎを代入してＰＬＬを設定し、画データを出力し（ステップＳ１０６）、プリントを終了するようになっている。
【００２８】
センサＢＫＣ３５及びセンサＹＭ３６に入射した２色の光ビームは、センサでＫＣ（Ｙ
Ｍ）先端同期検知信号が生成され、書き込み制御部（不図示）に入力される。書き込み制
御部では、この２色共通の先端同期検知信号を図４のタイミングチャートに示すように各色ごとに分離し、分離された信号をその色の先端同期信号として使用し、各色の主走査の書き込み開始基準とする。主走査の後端側も同様にセンサＢＫＣ３９及びセンサＹＭ４０に入射した２色の光ビームは、センサでＫＣ（ＹＭ）後端同期検知信号が生成され、書き込み制御部で色分離された各色の後端同期検知信号となる。主走査の倍率は、各色の２つの同期検知信号間を高周波クロックでカウントして測定する。倍率が大きくなっていればカウント値が増え、小さくなっていればカウント値が少なくなる。
【００２９】
図６は前記同期検知センサの代表的な回路例であり、同期検知センサはＬＤの走査ライ
ン上に設けられ、ＬＤが図６のＰＤ（フォトダイオード）を走査した期間にパルス信号（
同期検知信号）を出力する。同期検知信号の波形はＬＤがＰＤを走査する時間とＬＤの光
量に依存する。
【００３０】
例えば本実施形態に係る画像形成装置が６００ｄｐｉと１２００ｄｐｉの２種類の画素
密度でプリントする場合を考える。その場合、副走査方向の走査速度は感光体の線速を２
：１で変更し、ポリゴンミラー２２の回転数は変更せずに行うものとし、主走査方向の走
査クロック（画素クロック）は、周波数としては１：２に変更する。また、１２００ｄｐ
ｉの方がドットが小さく、通常、６００ｄｐｉ時よりもＬＤの光量を少なくして印字した
方が良好な画像を得ることができるので、光量を少なく設定している。
【００３１】
６００ｄｐｉの場合、先端同期検知センサ３５，３６を走査するＬＤの光量によってＰ
Ｄの出力(Ｖpd)が図７のような波形になるとすると、基準電圧(Vref)をスレッシュとした
コンパレータｃｏｍで同期検知信号Ｓsyncが生成される。１２００ｄｐｉの場合、ＬＤの
光量は少なく設定しているためＬＤが同期検知センサ３５，３６を走査すると、図７のよ
うに同期検知信号Ｓsyncの立下り位置がａだけ遅くなる。後端側も同様に後端同期検知セ
ンサ３９，４０を走査するＬＤの光量によって同期検知信号Ｓsyncの波形が変わってくる
が、書き込み光学系の光効率が先端側とは微妙に異なるために、６００ｄｐｉと１２００
ｄｐｉで後端同期検知信号の立下り位置の差がｂとなっている。このときに６００ｄｐｉ
、１２００ｄｐｉでそれぞれ主走査倍率の調整を行った場合、先端、後端同期検知信号間
のカウント値には（ａ―ｂ）の差が生じてしまう。そのため、主走査倍率がその差分だけ
変わってしまい、カラー画像形成装置では、その差が色ずれの原因にもなってしまう。
【００３２】
それを解決するために本画像形成装置では、図４のように主走査倍率調整を行う際には
、ＬＤ光量を常に６００ｄｐｉプリント時と同じにし、同期検知信号Ｓsyncの立下り位置
に差が発生しないように制御する。図８はこのように制御する本実施形態に係る処理手順
を示すフローチャートである。この処理手順では、プリントが開始されると、まずＬＤ光
量を６００ｄｐｉプリント時の設定にする（ステップＳ２０１）。その状態で２つの同期
検知間３５，３６、３９，４０を測定し（ステップＳ２０２）、画素クロックの補正を行
い、主走査倍率調整を終了する（ステップＳ２０３）。その後、各書き込み画素密度に対
応したＬＤ光量に設定し直し（ステップＳ２０４，２０５，２０６）、画データを出力し
てプリント動作を行う（ステップＳ２０７）。このように処理することにより書き込み条
件による２点同期検知間測定結果に差が生じることがなく、適正な主走査倍率でプリント
することができる。
【００３３】
一方、通常の書き込み光学系では、ＬＤが主走査方向に一定の光量で発光すれば、光学
系のシェーディング特性により、感光体面上でのＬＤ光量に違いが生じる。感光体面上の
ＬＤ光量は、主走査方向の中央部で高く、主走査方向の端部で低くなる。そこで、感光体
面上でのＬＤ光量を均一にするために、ＬＤから出力される光量を図９に示すように補正
することにより画像品質を向上させることができる。なお、ＬＤから出力される光量の補
正は、シェーディング補正とも称される。
【００３４】
図１２はシェーディング補正制御部の構成例であるが、１ラインを等分割で分割し（例
では１５分割−図９参照）、各エリア１〜１５で設定した光量に応じたＬＤ基準電圧を出
力し、ＬＤドライバはこのＬＤ基準電圧に応じた光量で発光することができるものとする
。また、同期検知信号を基準としてシェーディング補正を開始する位置を主走査カウンタ
１２１の値によって決定する（図９−ｃ）。そこまでは、先端同期検知期間と同じ光量で
発光し、シェーディング開始位置制御部１２２で設定されるシェーディング開始位置に到
達した時点で、分割幅カウンタ１２３によって設定されたエリア幅（ｄ）をカウントする
。エリア１が終了すると次に分割数カウンタ１２４で繰り返し、エリア１５までのステー
トを作成する。シェーディング補正データ出力部１２５では、エリア０〜１５のタイミン
グで予め設定してある各エリア毎のＬＤ光量設定値に応じたデータを出力する。そのデー
タをＤＡＣ１２６では、アナログ信号（電圧）に変換し、ローパスフィルタ１２７を介し
てＬＤ光量基準電圧としてＬＤドライバに入力される。例では、ＤＡＣ１２６を使用して
いるが、ＰＷＭを使って同様の機能を達成しても良い。
【００３５】
図９に示すように１２００ｄｐｉ時に６００ｄｐｉよりＬＤ光量を低くする通常の場合
、１ライン全体に一定の割合でＬＤ光量を落とすので、同期検知期間でも同じ割合でＬＤ
光量が下がってしまう。よって、図７を参照して説明したように主走査倍率調整を行った
場合に、６００ｄｐｉと１２００ｄｐｉで倍率に差が生じてしまう。これを解消するため
に、図１０に示すように１２００ｄｐｉ時も、先端同期検知位置でのＬＤ光量（エリア０
での）と後端同期検知位置でのＬＤ光量（エリア１４）を、６００ｄｐｉ時と同じ値に設
定することにより主走査倍率調整での差がなくなる。
【００３６】
図１１は後端同期検知の位置が画データ領域に隣接している場合の画像形成装置の同期
検知信号とＬＤ光量の関係を示すタイミングチャートである。図のように後端同期検知の
位置が画データ領域に隣接している場合、エリア１３でＬＤ光量を６００ｄｐｉ時のレベ
ルに持っていくには、点線で示すようにエリア１２の時点で変化させなければ追従しない
。しかし、エリア１２の途中までは、画データ領域であるので、この波形では主走査左端
のＬＤ光量が高くなってしまい、他の部分に比べ濃度が高くなってしまう。これを解消す
るために、主走査倍率調整を行う際には、図の点線のように、先端、後端同期検知期間で
６００ｄｐｉ、１２００ｄｐｉ同じＬＤ光量にするが、画像プリント時は、後端同期検知
信号は使用しないので実線のように制御する。すなわち、主走査倍率調整を行うときの画
像プリント時で制御タイミングを変更する。
【００３７】
以上のように本実施形態によれば、書き込み条件の変更によってレーザの光量が変化し
ても、主走査倍率調整時には同期検知期間（先端、後端）でのレーザの光量を同じにして
いるので、２点の同期検知間の距離を正確に測定することができ、主走査倍率誤差のない
良好な画像を得ることができる。これにより、カラー画像形成装置においては、色ずれの
ない良好な画像を得ることができる。
【００３８】
また、主走査位置のレーザ光量を段階的に可変にする手段を有しているので、書き込み
条件によらず同期検知期間（先端、後端）のみレーザ光量を一定にすることができる。こ
れにより、主走査倍率調整を行うタイミングを自由に選択できる。例えば、画像プリント
時に２点同期検知間を測定し、紙間で主走査倍率に反映することが可能となり、倍率調整
に要する時間を短縮することができる。
【００３９】
さらに、主走査倍率調整時のみ後端同期検知位置でのレーザ光量を一定に制御している
ので、後端同期検知センサの主走査位置が画データ期間に隣接している場合でも、画像左
端で濃度を変化させず、正確な主走査倍率調整ができる。
【図面の簡単な説明】
【００４０】
【図１】本発明の実施形態に係るカラー画像形成装置の全体構成の概略を示す図である。
【図２】図１における光学ユニット（光書き込みユニット）を上方から見た概略図である。
【図３】本実施形態における画素クロック生成部の構成を示すブロック図である。
【図４】本実施形態に係る画像形成装置の同期検知信号とＬＤ光量の関係を示すタイミングチャートである。
【図５】従来の主走査倍率補正の処理手順を示すフローチャートである。
【図６】本実施形態における同期検知センサの回路構成を示す回路図である。
【図７】本実施形態における同期検知センサの検知出力と同期検知信号の出力波形を示す図である。
【図８】本実施形態における主走査倍率補正の処理手順を示すフローチャートである。
【図９】従来から実施されている同期検知信号、画データ領域及び６００ｄｐｉと１２００ｄｐｉにおけるＬＤ光量との関係を示すタイミングチャートである。
【図１０】本実施形態における同期検知信号、画データ領域及び６００ｄｐｉと１２００ｄｐｉにおけるＬＤ光量との関係を示すタイミングチャートである。
【図１１】本実施形態における同期検知信号、画データ領域及び６００ｄｐｉと１２００ｄｐｉにおけるＬＤ光量との関係を示すタイミングチャートで、画データと後端同期検知信号の出力タイミングが近い場合について示す。
【図１２】本実施形態におけるシェーディング補正制御部の構成を示すブロック図である。
【符号の説明】
【００４１】
１  転写紙
２  搬送ベルト
６Ｙ、６Ｍ、６Ｃ、６Ｋ  感光体ドラム
７Ｙ、７Ｍ、７Ｃ、７Ｋ  帯電器
８  露光器（光学ユニット）
９Ｙ、９Ｍ、９Ｃ、９Ｋ  現像器
１０Ｙ、１０Ｍ、１０Ｃ、１０Ｋ  感光体クリーナ
５１  ＰＬＬ部
５２  １／Ｍ分周器
５３  位相比較器
５４  １／Ｎ分周器
５５  １／ｋ分周器
５６  内部同期信号生成部
５７  ＰＷＭクロック生成部
５８  ＰＷＭデータ制御部
１００Ｙ、１００Ｍ、１００Ｃ、１００Ｋ  画像形成部
１２１  主走査カウンタ
１２２  シェーディング開始位置制御部
１２３  分割幅カウンタ
１２４  分割数カウンタ
１２５  シェーディング補正データ出力部
１２６  ＤＡＣ
１２７  ローパスフィルタ
【図１】
2006346863.tif 000003
【図２】
2006346863.tif 000004
【図３】
2006346863.tif 000005
【図４】
2006346863.tif 000006
【図５】
2006346863.tif 000007
【図６】
2006346863.tif 000008
【図７】
2006346863.tif 000009
【図８】
2006346863.tif 000010
【図９】
2006346863.tif 000011
【図１０】
2006346863.tif 000012
【図１１】
2006346863.tif 000013
【図１２】
2006346863.tif 000014